(57)【要約】【課題】  ヒール本体の着脱性を向上させることができる靴を提供する。【解決手段】  着脱式のヒール本体２０と、ヒール本体２０を着脱位置からロック位置まで前後方向にスライドさせるためのガイド１２１が設けられたヒール本体取付部１２と、ヒール本体取付部１２に対してヒール本体２０をロック位置に固定し、操作子３１の操作に連動してヒール本体２０の固定を解除するロック装置３０とにより構成される。【選択図】  図３
2018015449.tif 000002
【特許請求の範囲】
【請求項１】
着脱式のヒール本体と、
上記ヒール本体を着脱位置からロック位置まで前後方向にスライドさせるためのガイドが設けられたヒール本体取付部と、
上記ヒール本体取付部に対して上記ヒール本体を上記ロック位置に固定し、操作子の操作に連動して上記ヒール本体の固定を解除するロック装置とを備えたことを特徴とする靴。
【請求項２】
上記ロック位置が上記着脱位置よりも前側に設けられることを特徴とする請求項１に記載の靴。
【請求項３】
上記ロック装置は、上記操作子と、上記ヒール本体取付部に設けられる係合穴に挿入するための凸部が形成された係合部材と、上記係合部材を付勢する付勢部材とを有し、上記操作子、上記係合部材及び上記付勢部材が上記ヒール本体に配置されることを特徴とする請求項２に記載の靴。
【請求項４】
上記操作子は、上記ヒール本体の前面に配置され、上記ヒール本体に向かって押し込むことによって上記ヒール本体の固定が解除されることを特徴とする請求項３に記載の靴。
【請求項５】
上記凸部は、上下方向に延びる柱状体からなり、上記付勢部材が上記係合部材を上方に向かって付勢し、
上記ヒール本体取付部の下面には、上記ヒール本体のスライドに連動して上記凸部を押し込むために前後方向に延びる傾斜面と、上記傾斜面よりも前側に配置される上記係合穴とが設けられることを特徴とする請求項３又は４に記載の靴。
【発明の詳細な説明】
【技術分野】
【０００１】
本発明は、靴に係り、さらに詳しくは、ヒール本体を着脱することができる靴の改良に関する。
【背景技術】
【０００２】
ヒールは、靴底の突出部であり、靴底の後部に配置される。ヒールには、足の踵から大きな荷重が付加されることから、摩耗や損傷が生じ易い。このため、取り外して交換できることが望ましい。しかしながら、従来の靴は、接着剤によってヒールが靴本体に固定され、或いは、釘を打ち付けることによってヒールが靴本体に固定されており、専用の道具を使用しなければ、ヒールを取り替えることができなかった。
【０００３】
そこで、専用の道具を用いなくてもヒールを着脱することができる靴が提案されている（例えば、特許文献１及び２）。特許文献１には、靴本体２の踵部３に対し、補助踵４を回転させることによって着脱が可能である靴の踵１が記載されている（図１）。この靴の踵１では、補助踵４に係止杆４１が設けられ、踵部３に係止杆４１と係合する係合溝３１が設けられている。また、特許文献２にも、靴本体Ａに対し、かかと片Ｂを回転させることによって着脱が可能である靴のかかとが記載されている（第１図〜第４図）。
【０００４】
この様にヒールが着脱可能であれば、不具合が生じたヒールを取り外して修理することができる。また、意匠デザイン、形状、高さ等が異なるヒールに取り替えることもできる。
【先行技術文献】
【特許文献】
【０００５】
【特許文献１】登録実用新案公報第３０３２２６６号公報
【特許文献２】実開平２−８９９０６号公報
【発明の概要】
【発明が解決しようとする課題】
【０００６】
上述した様な従来の靴では、ヒール本体の留め具を靴本体の係合穴に係合させる必要があることから、ヒール本体の着脱性がよくないという問題があった。また、ヒール本体が留め具により固定されることから、留め具と靴本体の係合穴との係合が外れれば直ちにヒール本体が脱落してしまうという問題もあった。
【０００７】
本発明は、上記事情に鑑みてなされたものであり、ヒール本体の着脱性を向上させることができる靴を提供することを目的とする。また、歩行時におけるヒール本体の脱落を防止することができる靴を提供することを目的とする。
【課題を解決するための手段】
【０００８】
本発明の第１の態様による靴は、着脱式のヒール本体と、上記ヒール本体を着脱位置からロック位置まで前後方向にスライドさせるためのガイドが設けられたヒール本体取付部と、上記ヒール本体取付部に対して上記ヒール本体を上記ロック位置に固定し、操作子の操作に連動して上記ヒール本体の固定を解除するロック装置とを備える。
【０００９】
この様な構成によれば、ヒール本体をロック位置まで前後方向にスライドさせることによって、ヒール本体取付部に装着することができる。また、操作子を操作することによって、ヒール本体の固定を解除することができる。従って、ヒール本体の着脱性を向上させることができる。
【００１０】
本発明の第２の態様による靴は、上記構成に加え、上記ロック位置が上記着脱位置よりも前側に設けられる。この様な構成によれば、歩行時には、ヒール本体取付部にかかる後向きの力によって、ヒール本体がロック位置に向かって付勢される。このため、歩行時におけるヒール本体の脱落を防止することができる。
【００１１】
本発明の第３の態様による靴は、上記構成に加え、上記ロック装置が、上記操作子と、上記ヒール本体取付部に設けられる係合穴に挿入するための凸部が形成された係合部材と、上記係合部材を付勢する付勢部材とを有し、上記操作子、上記係合部材及び上記付勢部材が上記ヒール本体に配置される。
【００１２】
この様な構成によれば、ロック装置の操作子、係合部材及び付勢部材を荷重がかかるヒール本体取付部に配置する場合に比べ、ヒール本体取付部の耐久性を向上させることができる。また、ロック装置の破損を防止することができる。
【００１３】
本発明の第４の態様による靴は、上記構成に加え、上記操作子が、上記ヒール本体の前面に配置され、上記ヒール本体に向かって押し込むことによって上記ヒール本体の固定が解除されるように構成される。
【００１４】
この様な構成によれば、スライド式の操作子に比べ、操作子の操作性を向上させることができる。また、操作子をヒール本体の前面以外の部位に配置する場合に比べ、靴の美観が損なわれるのを防止することができる。
【００１５】
本発明の第５の態様による靴は、上記構成に加え、上記凸部が、上下方向に延びる柱状体からなり、上記付勢部材が上記係合部材を上方に向かって付勢し、上記ヒール本体取付部の下面には、上記ヒール本体のスライドに連動して上記凸部を押し込むために前後方向に延びる傾斜面と、上記傾斜面よりも前側に配置される上記係合穴とが設けられる。
【００１６】
この様な構成によれば、ヒール本体をヒール本体取付部に装着する際に、係合部材の凸部がヒール本体取付部下面の傾斜面に接触することにより、係合部材を上向きの付勢力に逆らって押し込むことができる。また、ヒール本体取付部に対してヒール本体を前方向にスライドさせることにより、押し込まれた係合部材の凸部を上向きの付勢力を利用してヒール本体取付部の係合穴に挿入させることができる。従って、ヒール本体取付部の下面とヒール本体の上面とが接触した状態で、ヒール本体をヒール本体取付部に装着することができる。
【発明の効果】
【００１７】
本発明によれば、ヒール本体をロック位置まで前後方向にスライドさせることによってヒール本体取付部に装着することができ、また、操作子を操作することによってヒール本体の固定を解除することができるため、ヒール本体の着脱性を向上させることができる。また、歩行時には、ヒール本体取付部にかかる後向きの力によってヒール本体がロック位置に向かって付勢されるため、歩行時におけるヒール本体の脱落を防止することができる。
【図面の簡単な説明】
【００１８】
【図１】本発明の実施の形態による靴１の一構成例を示した側面図である。
【図２】図１の底板１１、ヒール本体取付部１２、ヒール本体２０及びトップリフト２１を展開して示した斜視図である。
【図３】図１の底板１１、ヒール本体取付部１２、ヒール本体２０及びトップリフト２１を展開して示した斜視図である。
【図４】図２のロック装置３０を展開して示した斜視図である。
【図５】ヒール本体２０の構成例を示した図である。
【図６】ヒール本体取付部１２の構成例を示した図である。
【図７】ヒール本体取付部１２の構成例を示した図である。
【発明を実施するための形態】
【００１９】
＜靴１＞
図１は、本発明の実施の形態による靴１の一構成例を示した側面図である。図中には、紳士用の靴１が示されている。靴１は、靴本体１０と、底板１１、ヒール本体取付部１２、ヒール本体２０及びトップリフト２１とにより構成される。靴本体１０は、アッパーと呼ばれる甲革部であり、足を収容する。
【００２０】
底板１１は、靴底の地面に接触する部分を形成するためのソールプレートであり、靴本体１０に取り付けられている。この底板１１は、厚さが概ね均一な平板からなり、例えば、軟質ゴムなどの樹脂材料を用いて形成される。
【００２１】
ヒール本体取付部１２は、ヒール本体２０が着脱可能に取り付けられるソールトップ部であり、底板１１の下面に取り付けられている。このヒール本体取付部１２は、例えば、硬質ゴムなどの樹脂材料を用いて形成される。
【００２２】
底板１１は、その形状及びサイズが靴本体１０の形状及びサイズに応じて決定される。これに対し、ヒール本体取付部１２は、様々な底板１１に共通のアタッチメントとして用いることができる。この様に底板１１とヒール本体取付部１２とを別個の部材により形成することにより、靴底に柔軟性を持たせつつ、ヒール本体取付部１２の強度や剛性を確保することができる。
【００２３】
ヒール本体２０は、着脱式の踵部であり、ヒール本体取付部１２に対し、前後方向にスライドさせることによって装着される。このヒール本体２０は、例えば、硬質ゴムなどの樹脂材料を用いて形成される。
【００２４】
トップリフト２１は、ヒール本体２０を摩耗から保護するための保護プレートであり、滑りにくく、耐摩耗性に優れた材料、例えば、軟質ゴムなどの樹脂材料が用いられる。このトップリフト２１は、厚さが概ね均一な平板からなり、ヒール本体２０の下面に取り付けられている。
【００２５】
図２は、図１の底板１１、ヒール本体取付部１２、ヒール本体２０及びトップリフト２１を展開して示した斜視図であり、斜め上方から見た場合が示されている。図３は、図１の底板１１、ヒール本体取付部１２、ヒール本体２０及びトップリフト２１を展開して示した斜視図であり、斜め下方から見た場合が示されている。
【００２６】
ヒール本体取付部１２には、ヒール本体２０を着脱位置からロック位置まで前後方向にスライドさせるためのガイド１２１が設けられている。着脱位置は、ガイド１２１によってヒール本体２０の左右方向への移動とヒール本体２０の落下とが制限されるスライド経路の後端であり、ヒール本体２０の着脱が行われる。
【００２７】
一方、ロック位置は、スライド経路の前端であり、後述するロック装置３０によってヒール本体２０の前後方向への移動が制限される。つまり、ロック位置は、着脱位置よりも前側、すなわち、つま先側に設けられている。
【００２８】
この様な構成を採用することにより、ヒール本体２０をロック位置まで前方にスライドさせれば、ヒール本体取付部１２に装着することができる。また、操作子３１を操作することによって、ヒール本体２０の固定を解除することができる。さらに、歩行時には、ヒール本体取付部１２にかかる後向きの力によって、ヒール本体２０がロック位置に向かって付勢される。このため、歩行時におけるヒール本体２０の脱落を防止することができる。
【００２９】
また、ヒール本体取付部１２には、底板１１の外縁に沿って延びる段差部が形成されており、周縁部の厚さが中央部に比べて薄くなっている。ガイド１２１は、左右の段差部の側面によって形成されている。ヒール本体取付部１２の上記中央部の下面１２４には、傾斜面１２２及び係合穴１２３が設けられている。
【００３０】
傾斜面１２２は、前後方向に延びる溝状のスロープであり、後端が段差部に配置され、前端が後端よりも下側に位置している。係合穴１２３は、ロック装置３０の凸部と係合させるための凹部であり、傾斜面１２２よりも前側に配置されている。ヒール本体取付部１２は、例えば、釘を下面１２４に打ち付け、ヒール本体取付部１２を貫通させることにより、底板１１に固定される。
【００３１】
ヒール本体２０には、ヒール本体取付部１２に対してヒール本体２０をロック位置に固定するためのロック装置３０が設けられている。ロック装置３０は、ヒール本体２０の固定を解除するための操作子３１と、ヒール本体取付部１２の係合穴１２３に挿入するための凸部が形成された係合部材３２と、係合部材３２をヒール本体取付部１２内に収容するための押え板３３とを備える。
【００３２】
操作子３１の操作に連動してヒール本体２０の固定が解除される。操作子３１は、例えば、ヒール本体２０の前面に配置され、ヒール本体２０に向かって後方に押し込むことによってヒール本体２０の固定が解除される。
【００３３】
この様な構成を採用することにより、スライド式の操作子に比べ、操作子３１の操作性を向上させることができる。また、操作子３１をヒール本体２０の前面以外の部位に配置する場合に比べ、靴１の美観が損なわれるのを防止することができる。
【００３４】
ヒール本体取付部１２の傾斜面１２２は、ヒール本体２０の前方へのスライドに連動して、係合部材３２の凸部を押し込むように機能する。そして、押し込められた凸部は、ヒール本体２０がロック位置に到達すると、係合穴１２３内に収容される。
【００３５】
この様な構成を採用することにより、ヒール本体２０をヒール本体取付部１２に装着する際に、係合部材３２の凸部がヒール本体取付部下面１２４の傾斜面１２２に接触することにより、係合部材３２を上向きの付勢力に逆らって押し込むことができる。また、ヒール本体取付部１２に対してヒール本体２０を前方向にスライドさせることにより、押し込まれた係合部材３２の凸部を上向きの付勢力を利用してヒール本体取付部１２の係合穴１２３に挿入させることができる。従って、ヒール本体取付部１２の下面１２４とヒール本体２０の上面とが接触した状態で、ヒール本体２０をヒール本体取付部１２に装着することができる。
【００３６】
＜ロック装置３０＞
図４は、図２のロック装置３０を展開して示した斜視図である。このロック装置３０は、操作子３１、係合部材３２、押え板３３の他に、係合部材３２を付勢するための付勢部材３４を備えて構成される。操作子３１、係合部材３２、押え板３３及び付勢部材３４は、ヒール本体２０に配置される。
【００３７】
ロック装置３０の操作子３１、係合部材３２及び付勢部材３４をヒール本体２０に配置することにより、これらの可動部を荷重がかかるヒール本体取付部１２に配置する場合に比べ、ヒール本体取付部１２の耐久性を向上させることができる。また、ロック装置３０の破損を防止することができる。
【００３８】
操作子３１は、後方に向かって押し込むことにより、ロック状態をリリースするための押しボタンであり、ブロック状のキートップ部３１１の背面から突出する２つの係合爪３１２が設けられている。キートップ部３１１は、前部がヒール本体２０の前面２２ａから露出する。
【００３９】
係合部材３２は、上下方向に延びる柱状体からなる凸部３２１と、凸部３２１の台座部３２２と、操作子３１の係合爪３１２と係合する２つの係合爪３２３とが設けられている。凸部３２１は、円柱形状の係合ピンであり、台座部３２２から上方に向かって突出している。係合爪３２３は、この台座部３２２の前面から突出している。
【００４０】
押え板３３は、係合部材３２の凸部３２１を挿通させるための１つのピン孔３３１と、取付ねじ３５を挿通させるための４つのねじ孔３３２と、操作子３１のキートップ部３１１を配置するための切り欠き３３３とが形成された平板からなる。付勢部材３４は、係合部材３２を上方に向かって付勢するコイルばねからなる。
【００４１】
押え板３３は、操作子３１、係合部材３２及び付勢部材３４をヒール本体２０内に収容させた状態でヒール本体２０の上面に取り付けられる。押え板３３は、ねじ孔３３２を介して４本の取付ねじ３５をそれぞれヒール本体２０にねじ込むことにより、ヒール本体２０に固定される。
【００４２】
係合部材３２の凸部３２１は、ピン孔３３１を介して押え板３３の上面から突出する。操作子３１のキートップ部３１１を後方へ押し込むと、係合爪３１２が係合部材３２の係合爪３２３を下方へ移動させる。この作用により、ロック状態がリリースされる。
【００４３】
一方、キートップ部３１１に対する押圧操作を止めれば、付勢部材３４が係合部材３２の台座部３２２に付加する付勢力により、係合爪３２３が上方へ移動する。この作用により、係合爪３１２が前方へ移動し、キートップ部３１１は元の位置に復帰する。
【００４４】
＜ヒール本体２０＞
図５は、ヒール本体２０の構成例を示した図である。図中の（ａ）には、ヒール本体２０の上面２２ｂが示され、（ｂ）には、ヒール本体２０の左側面が示され、（ｃ）には、ヒール本体２０の前面２２ａが示されている。
【００４５】
ヒール本体２０には、上面２２ｂから突出する側壁２３が形成されている。側壁２３は、靴底１１の外縁に沿って延び、馬蹄形状の外縁部を形成している。ロック装置３０とヒール本体取付部１２の傾斜面１２２及び係合穴１２３とは、側壁２３よりも内側に配置される。この様な構成を採用することにより、ごみ詰りによるロック装置３０の動作不良を防止することができる。また、美観が損なわれるのを防止することもできる。
【００４６】
この側壁２３は、一部が二重壁になっており、外壁と内壁との間に空隙が形成されている。このため、ヒール本体２０の側面に付加される衝撃を吸収させることができる。ヒール本体２０の下面２２ｃには、左右方向に延びる段差部２４が形成されており、段差部２４よりも後側の領域がトップリフト２１を配置するための配置領域２５になっている。
【００４７】
左右の側壁２３の内面２３ａは、上面２２ｂに対して傾斜した傾斜面になっており、ヒール本体取付部１２のガイド１２１と係合する。内面２３ａは、上端が下端よりも内側に配置されている。
【００４８】
＜ヒール本体取付部１２＞
図６は、ヒール本体取付部１２の構成例を示した図であり、図中の（ａ）には、ヒール本体取付部１２の上面１２５が示され、（ｂ）には、ヒール本体取付部１２の左側面が示され、（ｃ）には、ヒール本体取付部１２をＡ−Ａ切断線により切断した場合の切断面が示されている。
【００４９】
ヒール本体取付部１２は、上面１２５が下面１２４に対して傾斜しており、後端が前端よりも高さが高い。ガイド１２１は、底板１１の外縁に沿って延びる段差部の側面１２１ａからなる。この側面１２１ａは、上端が下端よりも内側に配置され、ヒール本体２０の側壁２３と係合する。
【００５０】
図７は、ヒール本体取付部１２の構成例を示した図であり、図中の（ａ）には、ヒール本体取付部１２の下面１２４が示され、（ｂ）には、ヒール本体取付部１２をＢ−Ｂ切断線により切断した場合の切断面が示されている。
【００５１】
ヒール本体取付部１２の下面１２４に設けられた傾斜面１２２は、断面形状が傾き一定の直線からなる。また、係合穴１２３は、傾斜面１２２の幅と略同一の直径からなる非貫通孔である。
【００５２】
本実施の形態によれば、ヒール本体２０をロック位置まで前方にスライドさせることによって、ヒール本体取付部１２に装着することができる。また、操作子３１を操作することによって、ヒール本体２０の固定を解除することができる。従って、ヒール本体２０の着脱性を向上させることができる。
【００５３】
また、歩行時には、ヒール本体取付部１２にかかる後向きの力によって、ヒール本体２０がロック位置に向かって付勢される。このため、歩行時におけるヒール本体２０の脱落を防止することができる。
【００５４】
また、ヒール本体２０の側壁２３がヒール本体取付部１２のガイド１２１と接触し、ヒール本体２０の上面２２ｂがヒール本体取付部１２の下面１２４と接触する。このため、ヒール本体取付部１２からヒール本体２０に進行方向の力、左右方向の力又は荷重が付加された場合に、ヒール本体２０に均等に分散させることができる。
【００５５】
なお、本実施の形態では、ヒール本体取付部１２が底板１１とは別個の部材からなる場合の例について説明したが、本発明は、ヒール本体取付部１２の構成をこれに限定するものではない。例えば、ヒール本体取付部１２が底板１１又は靴本体１０と一体的に成形されるような構成であってもよい。
【００５６】
また、本実施の形態では、靴１が紳士用の履物である場合の例について説明したが、本発明は、女性用の靴、例えば、パンプス、ミュールなどにも適用することができる。また、ローシューズやブーツにも本発明は適用することができる。
【符号の説明】
【００５７】
１      靴
１０    靴本体
１１    底板
１２    ヒール本体取付部
１２１  ガイド
１２２  傾斜面
１２３  係合穴
２０    ヒール本体
２１    トップリフト
２３    側壁
２４    段差
２５    配置領域
３０    ロック装置
３１    操作子
３１１  キートップ部
３１２  係合爪
３２    係合部材
３２１  凸部
３２２  台座部
３２３  係合爪
３３    押え板
３３１  ピン孔
３３２  ねじ孔
３３３  切り欠き
３４    付勢部材
３５    取付ねじ
【図１】
2018015449.tif 000003
【図２】
2018015449.tif 000004
【図３】
2018015449.tif 000005
【図４】
2018015449.tif 000006
【図５】
2018015449.tif 000007
【図６】
2018015449.tif 000008
【図７】
2018015449.tif 000009